(57)【要約】【課題】ケーブルに、特に垂直方向の引張り荷重が加わった場合、引張り荷重によりコネクタ本体が破損を受ける。【解決手段】接続リング１４とロックリング１５との止め部材用溝部２９、３５に止めリング４３を嵌合して、この止めリング４３によりロックリング１５を接続リング１４に回動可能に取り付け、接続リング１４の雌ねじ部２８を雄ねじ部３８に螺合させることで、バックシェル１６を接続リング１４に接続してバックシェル１６と接続リング１４とロックリング１５とを一体に連結するようにした。【選択図】  図１
2004281060.tif 000002
【特許請求の範囲】
【請求項１】
コンタクトを保持するインシュレーターと、前記コンタクトに接続されるケーブルを保持するバックシェルと、このバックシェルを接続する接続リングと、相手側コネクタへの結合時に前記相手側コネクタにロックされるロックリングとを備えた電気コネクタであって、
前記接続リングに回動可能な状態に前記ロックリングを取り付けることで、前記バックシェルと前記接続リングと前記ロックリングとを一体に連結するようにしたことを特徴とする電気コネクタ。
【請求項２】
前記インシュレーターに回動可能な状態に前記接続リングを取り付けるようにしたことを特徴とする請求項１に記載の電気コネクタ。
【請求項３】
前記接続リングと前記バックシェルとの接続を、それぞれに設けたねじ部の螺合で行い、前記接続リングと前記ロックリングとの連結を、前記接続リングの周面に前記ロックリングの周面を回動可能な状態に取り付けて行うようにしたことを特徴とする請求項２に記載の電気コネクタ。
【請求項４】
前記接続リングの外周面と前記ロックリングの内周面にそれぞれ止め部材用溝部を設け、これらの止め部材用溝部に止め部材を嵌合して、この止め部材により、前記ロックリングと前記接続リングとは回動可能な状態に取り付けられていることを特徴とする請求項３に記載の電気コネクタ。
【請求項５】
前記インシュレーターの前記バックシェル側の端部にインシュレーター側キーを設け、前記バックシェルの前記接続リング側の端部の内周部に前記インシュレーター側キーに係脱可能に係合するバックシェル側キーを設けて、前記インシュレーター側キーに前記バックシェル側キーを係合させた状態で、前記接続リングと前記バックシェルとの接続を行うようにしたことを特徴とする請求項３又は請求項４に記載の電気コネクタ。
【請求項６】
前記バックシェルと前記接続リングと前記ロックリングとがそれぞれに金属で製作されていることを特徴とする請求項１乃至請求項５のいずれか一に記載の電気コネクタ。
【発明の詳細な説明】
【０００１】
【発明の属する技術分野】
本発明は、相手コネクタ（レセプタクル）に挿抜可能に結合するコネクタプラグとして構成される電気コネクタに関する。
【０００２】
【従来の技術】
従来の、この種の電気コネクタを図６及び図７に示す。図６に示す従来の電気コネクタにおけるコネクタプラグ５０は、コンタクト５１を保持したインシュレーター５２から成るコネクタ本体５０Ａを備えており、このコネクタ本体５０Ａに、接続リング５３とロックリング５４とが別々に取り付けてある（特許文献１参照）。
【０００３】
【特許文献１】
特開２００１−２６７００６号公報
【０００４】
すなわち、インシュレーター５２の外周面部には、周方向に沿う接続リング装着用溝部５５とロックリング装着用溝部５６とが形成してあり、この接続リング装着用溝部５５は、インシュレーター５２の外周面部を抉る形状であって、この接続リング装着用溝部５５の形成部分Ｆの肉厚は薄くなっている。そして、接続リング５３は、その基部のフランジ部５３ａを接続リング装着用溝部５５に挿入することでコネクタ本体５０Ａに取り付けてある。また、ロックリング５４は、その内周部にフランジ部５４ａを有していて、このフランジ部５４ａをロックリング装着用溝部５６に挿入することでコネクタ本体５０Ａに取り付けてある。
【０００５】
また、ケーブル５７Ａを保持するバックシェル５７は、その端部をインシュレーター５２の端部に嵌合させた状態で、このバックシェル５７の端部に接続リング５３を螺合させることでコネクタ本体５０Ａに取り付けてある。
【０００６】
そして、コネクタプラグ５０のレセプタクル５８への結合は、コンタクト５１をレセプタクル５８のコンタクト５９に導通させてロックリング５４をレセプタクル５８のシェル５８Ａにロックさせることで行われる。
【０００７】
従来の他の電気コネクタにおけるコネクタプラグ６０は、図７に示すように、コンタクト６１を保持したインシュレーター６２の周部にプラグ側シェル６３を設けて構成されたプラグ本体６０Ａを備えており、プラグ側シェル６３には接続リング用ねじ部６４が形成してあり、また、プラグ側シェル６３にはロックリング６５が回動可能な状態で取り付けてある（文献なし）。
【０００８】
また、ケーブル６６を保持するバックシェル６７の端部には接続リング６８が回転可能な状態で取り付けてある。
【０００９】
そして、バックシェル６７の端部をプラグ側シェル６３の端部に嵌合させた状態で、接続リング６８を接続リング用ねじ部６４に螺合させて、バックシェル６７がプラグ本体６０Ａに取り付けてある。
【００１０】
そして、コネクタプラグ６０のレセプタクル５８への結合は、上記した従来の電気コネクタの場合と同様に、コンタクト６１をレセプタクル５８のコンタクト５９に導通させてロックリング６５をレセプタクル５８のシェル５８Ａにロックさせて行われる。
【００１１】
上記した従来の他の電気コネクタにおいては、プラグ側シェル６３に、このプラグ側シェル６３の中間部Ｆ−１を境にして接続リング６８とロックリング６５とが別々に結合するようになっている。
【００１２】
【発明が解決しようとする課題】
上記した前者の従来の電気コネクタにおいては、コネクタ本体５０Ａに、接続リング５３とロックリング５４とが別々に取り付けてあり、また、バックシェル５７は、その端部をインシュレーター５２の端部に嵌合させた状態で、このバックシェル５７の端部に接続リング５３を螺合させることでコネクタ本体５０Ａに取り付けてある。
【００１３】
このために、コネクタプラグ５０をレセプタクル５８に結合させた状態で、ケーブル５７Ａに、特に垂直方向の引張り荷重が加わった場合、引張り荷重は、バックシェル５７から接続リング５３を経てインシュレーター５２の接続リング装着用溝部５５の形成部分Ｆに集中するようになって、コネクタ本体５０Ａが引張り荷重により弱くなってしまう。さらに、インシュレーター５２に引張り荷重が加わると、ロックリング装着用溝部５６とフランジ部５４ａとの係合部が破損しやすくなる。
【００１４】
また、コネクタ本体５０Ａに接続リング５３とロックリング５４とが、プラグ挿抜方向に別々に取り付けてあるために、電気コネクタ全体のプラグ挿抜方向の寸法が大きくなり、電気コネクタ全体の低背化が難しい。
【００１５】
また、上記した後者の従来の電気コネクタにおいては、コネクタ本体６０Ａのプラグ側シェル６３に、このプラグ側シェル６３の中間部Ｆ−１を境にして接続リング６８とロックリング６５とが別々に結合するようになっており、また、バックシェル６７の端部を、プラグ側シェル６３の端部に嵌合させた状態で、接続リング６８を接続リング用ねじ部６４に螺合させて、バックシェル６７がプラグ側シェル６３に取り付けてある。
【００１６】
このために、コネクタプラグ６０をレセプタクル５８に結合させた状態で、ケーブル６６に特に垂直方向の引張り荷重が加わった場合、引張り荷重は、バックシェル６７から接続リング６８を経てプラグ側シェル６３の中間部Ｆ−１に集中するようになって、この中間部Ｆ−１が変形するなどコネクタ本体６０Ａが引張り荷重により弱くなってしまう。さらに、プラグ側シェル６３とロックリング６５との係合部に引張り荷重が加わり、破損しやすくなる。
【００１７】
また、プラグ側シェル６３に接続リング６８とロックリング６５とが、プラグ挿抜方向に別々に結合するようになるために、電気コネクタ全体のプラグ挿抜方向の寸法が大きくなり、電気コネクタ全体の低背化が難しい。
【００１８】
本発明は、上記の問題点に着目して成されたものであって、その目的とするところは、コネクタ本体が引張り荷重に対し高剛性に構成した電気コネクタを提供することにある。
【００１９】
【課題を解決するための手段】
上記の目的を達成するために、本発明に係る電気コネクタは、コンタクトを保持するインシュレーターと、コンタクトに接続されるケーブルを保持するバックシェルと、このバックシェルを接続する接続リングと、相手側コネクタへの結合時に相手側コネクタにロックされるロックリングとを備えた電気コネクタであって、接続リングに回動可能な状態にロックリングを取り付けることで、バックシェルと接続リングとロックリングとを一体に連結するようにしたことを特徴とするものである。
【００２０】
かかる構成により、ケーブルに、特に垂直方向の引張り荷重が加わった場合であっても、この引張り荷重はインシュレーターに直接に加わることがなく、バックシェルと接続リングとロックリングとを経て相手コネクタ側に加わるようになるために、コンタクトを保持したインシュレーターから成るコネクタ本体が引張り荷重に対し高剛性となる。
【００２１】
また、本発明に係る電気コネクタは、上記した本発明に係る電気コネクタにおいて、インシュレーターに回動可能な状態に接続リングを取り付けるようにしたことを特徴とするものである。
【００２２】
かかる構成により、バックシェルの組立てが容易になる。
【００２３】
また、本発明に係る電気コネクタは、上記した本発明に係る電気コネクタにおいて、接続リングとバックシェルとの接続を、それぞれに設けたねじ部の螺合で行い、接続リングとロックリングとの連結を、接続リングの周面にロックリングの周面を回動可能な状態に取り付けて行うようにしたことを特徴とするものである。
【００２４】
かかる構成により、接続リングとバックシェルとの接続がねじ部の螺合であって、接続リングの一端部とバックシェルの端部とが接続リングの半径方向に重なり合い、また、接続リングにロックリングを取り付けた部分で両者の連結を行うために、接続リングの他端部とロックリングの端部とが接続リングの半径方向に重なり合うようになって、電気コネクタ全体のプラグ挿抜方向の寸法が小さくなり、電気コネクタ全体の低背化が実現できる。
【００２５】
また、本発明に係る電気コネクタは、上記した本発明に係る電気コネクタにおいて、接続リングの外周面とロックリングの内周面にそれぞれ止め部材用溝部を設け、これらの止め部材用溝部に止め部材を嵌合して、この止め部材により、ロックリングと接続リングとは回動可能な状態に取り付けられていることを特徴とするものである。
【００２６】
かかる構成により、電気コネクタ全体のプラグ挿抜方向の寸法が小さくなり、電気コネクタ全体の低背化が実現できるばかりか、電気コネクタの組立性が向上するようになる。
【００２７】
また、本発明に係る電気コネクタは、上記した本発明に係る電気コネクタにおいて、インシュレーターのバックシェル側の端部にインシュレーター側キーを設け、バックシェルの接続リング側の端部の内周部にインシュレーター側キーに係脱可能に係合するバックシェル側キーを設けて、インシュレーター側キーにバックシェル側キーを係合させた状態で、接続リングとバックシェルとの接続を行うようにしたことを特徴とするものである。
【００２８】
かかる構成により、インシュレーターにバックシェルをセットする場合に、インシュレーター側キーにバックシェル側キーを係合させるために、バックシェルを、所定の角度（例えば、４５度）の方向に回転した状態でインシュレーターにセットし、バックシェルに接続リングを螺合させればよく、バックシェルがライトアングルタイプである場合には、ケーブルの取出し方向を細かく設定することができる。
【００２９】
また、本発明に係る電気コネクタは、上記した本発明に係る電気コネクタにおいて、バックシェルと接続リングとロックリングとがそれぞれに金属で製作されていることを特徴とするものである。
【００３０】
かかる構成により、バックシェルと接続リングとロックリングとの強度を高
め、ケーブルの引張り荷重に対してより強く対処することができる。
【００３１】
【発明の実施の形態】
以下、本発明の実施の形態を図面に基づいて説明する。
【００３２】
図１は本発明に係る電気コネクタの相手コネクタと嵌合した状態の縦断面図、図２は同電気コネクタの嵌合前の縦断面図、図３は図２のＸ方向から見た相手コネクタの矢視図、図４は電気コネクタの分解状態をロックリング側から見た斜視図、図５は同電気コネクタにおいて、コネクタ本体に対し接続リングとロックリングとを分解した状態の一部省略した斜視図である。
【００３３】
電気コネクタ（コネクタプラグ）Ａは、図１、図２、図４及び図５に示すように、コネクタ本体１０と、このコネクタ本体１０の周部に配置される外装部１１と、バックシェル１６とを有している。このコネクタ本体１０は、円柱形状のインシュレーター１２に複数本の雌形のコンタクト１３を設けて構成してあり、外装部１１は、接続リング１４と、止め部材である止めリング４３と、コイルスプリング４４と、ロックリング１５とで構成してある。なお、インシュレーター１２は合成樹脂製であり、接続リング１４とロックリング１５とバックシェル１６とは金属製である。なお、インシュレーター１２、接続リング１４、ロックリング１５およびバックシェル１６がすべて合成樹脂製でも良い。
【００３４】
インシュレーター１２には、相手コネクタ挿入部１７と、スプリング装着部１８と、接続リング支承部１９と、インシュレーター側キー２０とが形成してある。そして、相手コネクタ挿入部１７の周面部には、プラグ挿抜方向イに沿う案内溝部２１が周方向に所定の間隔をおいて複数本形成してある。
【００３５】
また、スプリング装着部１８には凸部２２が形成してあり、この凸部２２にばね係止溝部２３が形成してある。また、接続リング支承部１９にはストッパー部２４が形成してある。また、インシュレーター側キー２０は、インシュレーター１２の端部の周方向に所定の間隔をおいて複数形成してある。
【００３６】
接続リング１４は、支承部２６と、この支承部２６より大径なねじ形成部２７とを有しており、このねじ形成部２７の内周面部には雌ネジ部２８が形成してある。また、支承部２６の外周面部には止めリング用溝部２９が形成してあり、支承部２６の内周面部には、プラグ挿抜方向イに沿う凹部３０が形成してある。
【００３７】
ロックリング１５は、その内周面部に、シェル嵌合部３１と、スプリング収容部３２と、接続リング嵌合部３３とを有しており、シェル嵌合部３１には係合突起部３４が設けてあり、スプリング収容部３２にはスプリング係止溝部３２ａが形成してあり、接続リング嵌合部３３には止めリング用溝部３５が形成してある。
【００３８】
バックシェル１６はライトアングルタイプであり、このバックシェル１６の一端部が嵌合部３６に、他端部がケーブル固定部３７にそれぞれ成されており、嵌合部３６の外周面部には雄ねじ部３８が形成してあり、嵌合部３６の内周面部には、図４に示すように、バックシェル側キー３９が周方向に所定の間隔をおいて複数形成してある。ケーブル固定部３７には締付け用ナット部材４０が螺合してある。
【００３９】
そして、バックシェル１６は、そのケーブル固定部３７でケーブル４１の端末部４１Ａを固定しており、この端末部４１Ａから複数本のリード線４２がバックシェル１６内に導出されていて、これらのリード線４２にはピン形状の接続端子４２Ａが接続してある。
【００４０】
そして、接続リング１４の止めリング用溝部２９に止めリング４３を装着し、この接続リング１４に、これの雌ネジ部２８側からインシュレーター１２の相手コネクタ挿入部１７を挿入する。この場合、接続リング１４の凹部３０にインシュレーター１２の凸部２２を挿入した後、凸部２２の背面（バックシェル１６側端面）と接続リング１４の端面（ロックリング１５側端面）が当接し、所定の位置に取り付けられる。なお、若干、回転させることで抜けないようにする。次に、コイルスプリング４４を相手コネクタ挿入部１７からスプリング装着部１８に装着して、このコイルスプリング４４の一方の係止部４４ａをばね係止溝部２３に係止する。
【００４１】
次に、止めリング４３を径方向に圧縮した状態で、ロックリング１５の接続リング嵌合部３３を接続リング１４の支承部２６に嵌合し、コイルスプリング４４の他方の係止部４４ｂをロックリング１５のばね係止溝部３２ａに係止し、止めリング４３をロックリング１５の止めリング用溝部３５に挿入することで、ロックリング１５が接続リング１４に回動可能に取付けてある。止めリング４３は接続リング１４とロックリング１５が回動可能に取り付けられるものであれば良く、ランスを設けたリング状のもの等でも良い。
【００４２】
この場合、接続リング１４は、その支承部２６をインシュレーター１２の接続リング支承部１９に回動可能に支承して取り付けてあり、支承部２６の端面がストッパー部２４に摺接して接続リング１４の抜けが防止されるし、スプリング収容部３２にはコイルスプリング４４が収容されている。実施の形態では、接続リング１４の他端部にロッリング１５の端部を被嵌させているが、ロックリング１５の端部に接続リング１４の他端部を被嵌させるようにしても良い。
【００４３】
そして、ケーブル４１の接続端子４２Ａを、コネクタ本体１０のコンタクト１３の一端側に差し込んで接続し、バックシェル１６の嵌合部３６をインシュレーター１２の端部に嵌合して、バックシェル側キー３９をインシュレーター側キー２０に係合させ、接続リング１４の雌ねじ部２８を嵌合部３６の雄ねじ部３８に螺合させることで、バックシェル１６が接続リング１４に接続してある。
【００４４】
相手コネクタ（レセプタクル）Ｂは、図１乃至図３に示すように金属製のシェル１を有しており、このシェル１の基部には取付用フランジ部２とインシュレーター形成部３とが形成してあり、このインシュレーター形成部３には合成樹脂製のレセプタクル側インシュレーター４が形成してあり、このレセプタクル側インシュレーター４には、複数本の雄形のコンタクト５が設けてある。
【００４５】
シェル１の外周面部には係合部６が等間隔をおいて複数形成してあり、これらの係合部６は、図３に示すようにＶ形状の案内溝部６Ａに連ねてピン係合溝部６Ｂを形成して構成してある。また、シェル１の内周面部には、複数の案内突起部７が形成してある。
【００４６】
取付用フランジ部２の表面２Ａは合成樹脂で覆われており、装飾性を良くしている。表面２Ａとインシュレーター４は一体成形することが可能であり、一体成形すれば表面２Ａが取付用フランジ部２から容易に剥がれることがない。
【００４７】
そして、電気コネクタＡの相手コネクタＢへの結合は、コンタクト１３をコンタクト５に差込み導通させ、ロックリング１５を相手コネクタＢ側に押込むことで、インシュレーター１２の案内溝部２１に相手コネクタＢ側の案内突起部７を挿入させると共に、ロックリング１５のシェル嵌合部３１をシェル１の外周面部に嵌合し、ロックリング１５の係合突起部３４を係合部６に係合させることにより行われる。
【００４８】
この場合、ロックリング１５の係合突起部３４が、係合部６の案内溝部６Ａに案内されてロックリング１５がコイルスプリング４４のばね力に抗して回動し、係合突起部３４を係合部６のピン係合溝部６Ｂに係合させてロックが行われる。
【００４９】
上記したように、本発明の実施の形態によれば、接続リング１４の外周面とロックリング１５の内周面にそれぞれ止め部材用溝部２９、３５を設け、これらの止め部材用溝部２９、３５に止めリング４３を嵌合して、この止めリング４３により、ロックリング１５は接続リング１４に回動可能な状態に取り付けてあり、また、接続リング１４の雌ねじ部２８をバックシェル１６の雄ねじ部３８に螺合させることで、バックシェル１６が接続リング１４に接続してあって、バックシェル１６と接続リング１４とロックリング１５とが一体に連結してあるために、ケーブル４１に、特に垂直方向の引張り荷重が加わった場合であっても、この引張り荷重は、コンタクト１３を保持したインシュレーター１２から成るコネクタ本体１０に直接に加わることがなく、バックシェル１６と接続リング１４とロックリング１５とを経て相手コネクタＢ側に加わるようになるために、コネクタ本体１０が引張り荷重により破損を受けることがなくなる。
【００５０】
また、接続リング１４は、その支承部２６をインシュレーター１２の接続リング支承部１９に回動可能に支承して取り付けてあり、ロックリング１５は、上記したように止めリング４３を介して接続リング１４に取付けてあるために、バックシェル１６の組立てが容易になる。
【００５１】
また、接続リング１４とバックシェル１６との接続がねじ部（雌ねじ部２８と雄ねじ部３８）の螺合であって、接続リング１４の一端部とバックシェル１６の端部とが接続リング１４の半径方向に重なり合い、また、ロックリング１５は、上記したように止めリング４３を介して接続リング１４に取付けてあって、接続リング１４の他端部とロックリング１５の端部とが接続リング１４の半径方向に重なり合うために、電気コネクタ全体のプラグ挿抜方向イの寸法が小さくなり、電気コネクタ全体の低背化が実現できる。
【００５２】
また、バックシェル１６をコネクタ本体１０にセットする場合に、バックシェル側キー３９をインシュレーター側キー２０に係合させるために、バックシェル１６を、所定の角度（例えば、４５度）の方向に回動させた状態でコネクタ本体１０にセットし、バックシェル１６に接続リング１４を螺合させればよく、バックシェル１６がライトアングルタイプである場合には、ケーブル４１の取出し方向を細かく設定することができる。
【００５３】
また、バックシェル１６と接続リング１４とロックリング１５とがそれぞれに金属で製作されているために、これらのバックシェル１６と接続リング１４とロックリング１５の強度を高めることができて、ケーブル４１の引張り荷重に対してより強く対処することができる。
【００５４】
なお、上記した本発明の実施の形態では、バックシェル側キー３９とインシュレーター側キー２０とをそれぞれに複数個形成するようにしたが、どちらか一方が複数形成されていれば良く、他方は１つでも良い。
【００５５】
【発明の効果】
以上説明したように、本発明に係る電気コネクタによれば、ケーブルに、特に垂直方向の引張り荷重が加わった場合であっても、この引張り荷重はインシュレーターに直接に加わることがなく、バックシェルと接続リングとロックリングとを経て相手コネクタ側に加わるようになるために、コンタクトを保持したインシュレーターから成るコネクタ本体が引張り荷重に対し高剛性に構成をすることになる。
【００５６】
また、本発明に係る電気コネクタは、インシュレーターに接続リングを回動可能な状態に取り付けることにより、バックシェルの組立てが容易になる。
【００５７】
また、本発明に係る電気コネクタは、接続リングとバックシェルとの接続がねじ部の螺合であって、接続リングの一端部とバックシェルの端部とが接続リングの半径方向に重なり合い、また、接続リングにロックリングを取り付けた部分で両者の連結を行うように構成すれば、接続リングの他端部とロックリングの端部とが接続リングの半径方向に重なり合うようになって、電気コネクタ全体のプラグ挿抜方向の寸法が小さくなり、電気コネクタ全体の低背化が実現できる。
【００５８】
また、本発明に係る電気コネクタは、インシュレーターにバックシェルをセットする場合に、インシュレーター側キーにバックシェル側キーを係合させるように構成すれば、バックシェルを、所定の角度（例えば、４５度）の方向に回転した状態でインシュレーターにセットし、バックシェルに接続リングを螺合させればよく、バックシェルがライトアングルタイプである場合には、ケーブルの取出し方向を細かく設定することができる。
【００５９】
また、本発明に係る電気コネクタは、バックシェルと接続リングとロックリングとがそれぞれに金属で製作すれば、バックシェルと接続リングとロックリングとの強度を高め、ケーブルの引張り荷重に対してより強く対処することができる。
【図面の簡単な説明】
【図１】本発明に係る電気コネクタの相手側コネクタと嵌合した状態の縦断面図である。
【図２】同電気コネクタの嵌合前の縦断面図である。
【図３】図２のＸ方向から見た矢視図である。
【図４】電気コネクタの分解状態をロックリング側から見た斜視図である。
【図５】同電気コネクタにおいて、コネクタ本体に対し接続リングとロックリングとを分解した状態の一部省略した斜視図である。
【図６】従来の電気コネクタの縦断面図である。
【図７】従来の他の電気コネクタの縦断面図である。
【符号の説明】
Ａ      電気コネクタ（コネクタプラグ）
Ｂ      相手コネクタ（レセプタクル）
１０    コネクタ本体
１１    外装部
１２    インシュレーター
１３    コンタクト
１４    接続リング
１５    ロックリング
１６    バックシェル
１７    相手コネクタ挿入部
１８    スプリング装着部
１９    接続リング支承部
２０    インシュレーター側キー
２６    支承部
２８    雌ねじ部
２９    止めリング用溝部
３１    シェル嵌合部
３２    スプリング収容部
３３    接続リング嵌合部
３４    係合突起部
３５    止めリング用溝部
３６    嵌合部
３７    ケーブル固定部
３８    雄ねじ部
３９    バックシェル側キー
４１    ケーブル
４３    止めリング（止め部材）
４４    コイルスプリング
【図１】
2004281060.tif 000003
【図２】
2004281060.tif 000004
【図３】
2004281060.tif 000005
【図４】
2004281060.tif 000006
【図５】
2004281060.tif 000007
【図６】
2004281060.tif 000008
【図７】
2004281060.tif 000009